(57)【特許請求の範囲】
【請求項１】
海水、河川水、雨水等の水が地下室へ侵入するのを堰き止める、あるいは護岸、堤防等を越えて溢水するのを防止する防水板と、該防水板を所定位置からガイド装置に沿って所定位置まで駆動する駆動装置とからなり、
前記防水板は、４側面及び天板を有する箱形に形成されており、前記駆動装置は、水道水又はタンクに蓄積された水の水圧で作動するピストンシリンダユニットから構成され、箱形に形成された前記防水板内部に前記ピストンシリンダユニットのピストンロッドが固定されていることを特徴とする可動防水装置。
【請求項２】
請求項１に記載の水圧で作動するピストンシリンダユニットには、地下室へ侵入する水、あるいは護岸、堤防等を越えて溢水する水を検知すると、所定圧力の水が供給される、可動防水装置。
【請求項３】
請求項１又は２に記載の防水板が、地下室へ侵入するのを堰き止める防水板であり、該防水板は、前記地下室の入り口近傍の、路面より下方に配置されていると共に、前記ピストンシリンダユニットに所定圧力の水を給排するバルブ装置も前記地下室内に設けられている、可動防水装置。
【発明の詳細な説明】
【０００１】
【発明の属する技術分野】
本発明は、海水、河川水、雨水等の水が地下室へ侵入するのを堰き止める、あるいは護岸、堤防等を越えて溢水するのを防止する防水板と、該防水板を所定位置からガイド装置に沿って駆動する駆動装置とからなる可動防水装置に関するものである。
【０００２】
【従来の技術】
家屋あるいは屋敷内へ河川水、雨水等が浸入するのを防止する可動防水装置は、従来から提案されている。この可動防水装置は、フロートと、このフロートに取り付けられている防水板とからなっている。したがって、増水すると、フロートが浮き、この浮力により防水板が立ち上がり、河川水、雨水等が家屋内へ浸水するのが防止される。一方、洪水時の河川の氾濫を防ぐための可動堤防も、例えば特開平２−２４０３１２号公報により提案されている。この可動堤防は、概略的には堤防の天端上方に設けられている回動軸、この回動軸から延びている複数本のアーム、これらのアームに取り付けられている所定面積の複数枚の胸板、これらの胸板を駆動する電動式駆動装置等から構成されている。したがって、必要時には駆動装置によりアームを回動させて胸板を回動して堤防の高さを継ぎ足すことができる。これにより、堤防の高さが高くなり、洪水時の河川の氾濫を防ぐことができる。
【０００３】
【発明が解決しようとする課題】
上記のように、フロートを有する可動防水装置によると、フロートにより防水板が駆動されるので、格別の駆動源が必要とせず、停電時も作動する利点はある。しかしながら、フロートが浮くためには、必ず増水しなければならず、作動性に不安がある。また、防水板は、その防水目的から設置位置は自ずから決まる。一方、フロートは確実に増水する箇所に設けなければならず、実際に実施するときには、防水板とフロートは離れた位置関係になることが予想される。離れた位置関係になると、両者を結ぶ機構は複雑になり、機械抵抗も大きくなる。そうすると、防水板はフロートのみでは駆動され難くなる。このような問題も、大きなフロートを適用すると解決されるが、非常時以外は使用されない大きなフロートの収容スペースが新たな問題として生じる。このような理由により、フロートからなる家屋用あるいは地下室用の可動防水装置としては、実施上問題がある。また、従来の河川用の可動堤防も、回動自在に駆動される胸板を備えているので、河川が氾濫するような非常時には胸板を駆動装置により駆動して堤防として利用することができる。そして、通常時には胸板の下は散歩道とし、また雨よけ、日よけ等にも利用することができる。しかしながら、問題点あるいは改良の余地も認められる。例えば、堤防の天端に比較的面積の大きい胸板が設けられているので、堤防の眺望の妨げになり、河川の景観を損なう恐れがある。また、災害時のような非常時には、停電等により電力が得られないことがあるが、従来の可動堤防の胸板は、電動式の駆動装置を格別に必要としているので、必要時に堤防としての役目を果たさないこともあり得る。もっとも、手動的に駆動することも考えられるが、胸板の重量等からみて、おおよそ実施不可能である。また、前記公報には、手動的に駆動する機構は示されていない。
【０００４】
本発明は、上記したような従来の問題点あるいは欠点を解消した可動防水装置を提供することを目的とし、具体的には防水板を駆動する動力も、また設置スペースも格別に必要とせず、しかも必要時には手動的に、あるいは自動的に確実に駆動することができる可動防水装置を提供することを目的としている。
【０００５】
【課題を解決するための手段】
本発明の上記目的は、防水板の駆動に水道水を適用することにより達成される。また、一般に、ビルには給水タンク、防災用タンク等が備わっている。したがって、このようなタンク中の水を利用することにより、水道水が得られないような非常時にも防水板を駆動することができる。かくして、請求項１に記載の発明は、上記目的を達成するために、海水、河川水、雨水等の水が地下室へ侵入するのを堰き止める、あるいは護岸、堤防等を越えて溢水するのを防止する防水板と、該防水板を所定位置からガイド装置に沿って所定位置まで駆動する駆動装置とからなり、前記防水板は、４側面及び天板を有する箱形に形成されており、前記駆動装置は、水道水又はタンクに蓄積された水の水圧で作動するピストンシリンダユニットから構成され、箱形に形成された前記防水板内部に前記ピストンシリンダユニットのピストンロッドが固定されている。請求項２に記載の発明は、請求項１に記載の水圧で作動するピストンシリンダユニットには、地下室へ侵入する水、あるいは護岸、堤防等を越えて溢水する水を検知すると、所定圧力の水が供給されるように、請求項３に記載の発明は、請求項１又は２に記載の防水板が、地下室へ侵入するのを堰き止める防水板であり、該防水板は、前記地下室の入り口近傍の、路面より下方に配置されていると共に、前記ピストンシリンダユニットに所定圧力の水を給排するバルブ装置も前記地下室内に設けられるように構成される。
【０００６】
【発明の実施の形態】
以下、添付図面により本発明の、駆動装置に水圧式のピストンシリンダユニットを適用した実施の形態を説明する。本発明に係わる可動防水装置は、後述する本発明の実施の形態から容易に理解できるが、複数枚の防水板を横方向に多少の遊びを持ってつなぎ合わせ、そして複数個の水圧式のピストンシリンダユニットを適用することにより、幅方向に長い護岸、堤防等にも適用できるが、以下１枚の防水板を地下室の入り口に適用した実施の形態についてのみ説明する。図１の（イ）、（ロ）は、本発明の第１の実施の形態を模式的且つ概略的に示す断面図と、斜視図であるが、これらの図に示されているように、第１の実施の形態に係わる可動防水装置１は、防水板２を備えている。そして、この防水板２は地下室Ｇの入り口Ｅの近傍において、路面Ｒよりも下方に設置されている。
【０００７】
地下室Ｇは、地面あるいは路面Ｒよりも下方に位置している。この地下室Ｇは、図示の実施の形態では、入り口Ｅから奥に向かってスロープ状に傾斜した床Ｆ、側壁Ｗおよび天井Ｕから略箱形に建設され、自動車Ｖの車庫として利用されている。そして、地下室Ｇの入り口Ｅの近傍の床Ｆは、所定深さに掘られて機械室ＭＲが形成されている。このような地下室Ｇの上部にビルＢが建てられている。なお、地下室Ｇは、車庫以外の、倉庫、店舗、住居等として利用できることは明らかである。
【０００８】
可動防水装置１は、防水板２、この防水板２をスライド可能に、シール状態で案内する一対のガイド装置１０、１０’、防水板２を上方へ駆動する水圧式のピストンシリンダユニット２０、このピストンシリンダユニット２０に所定水圧の水道水を供給する給水装置３０等からなっている。
【０００９】
防水板２は、本実施の形態では、所定面積の一対の側板３、３と、これらの側板３、３をつないでいる所定幅の一対の側部と、側板３、３、と側部とで形成される上部空間を塞いでいる天板４とから内部が空洞の略箱形を呈するように形成されている。このような防水板２は、通常は天板４が路面Ｒと同じ高さになるように、機械室ＭＲの一部に配置されている。また、防水板２の両側部には、図１の（ロ）に示されているように、上下方向に凸条ガイド６が形成されている。このように、防水板２は略箱形に形成されているので、軽量である。したがって、小さなピストンシリンダユニット２０により駆動できる。このように軽量ではあるが、防水板２の内部にはステイ５が固定されているので、剛性があり、防水板２が、図１の（イ）に示されている位置から、図１の（ロ）に示されている位置まで下がった路面Ｒと同じ高さの通常の位置では自動車Ｖが通過できる。なお、このとき、防水板２の下端部は、図には示されていないが、支持部材あるいはストッパにより確実に支持されるようになっている。
【００１０】
一対のガイド装置１０、１０’は、左右対称で同じ構造をしているので、以下一方のガイド装置１０についてのみ説明し、他方のガイド装置１０’には同じ参照数字にダッシュ「’」を付けて格別に説明はしない。ガイド装置１０には、軸方向すなわち上下方向に所定幅のガイド溝１２が、一対のフランジ部１１、１１により形成されている。このガイド溝１２の側部には、図１には示されていないが、ゴムのようなシール部材が装着されている。したがって、防水板２の凸条ガイド６は、ガイド溝１２によりシールされた状態で上下方向に案内されることになる。このような一対のガイド装置１０、１０’が、そのガイド溝１２、１２’が向き合って地下室Ｇの入り口Ｅの両側に、機械室ＭＲから所定高さまで設けられている。
【００１１】
ピストンシリンダユニット２０は、水圧シリンダ２１と、この水圧シリンダ２１内に往復動自在に設けられているピストン２２と、このピストン２２に固定されているピストンロッド２３とから構成されている。そして、ピストンロッド２３の上端部が、防水板２のステイ５にボルト等により固定されている。水圧シリンダ２１は、その底部が機械室ＭＲの床に固定されている。本実施の形態によると、ピストンシリンダユニット２０には、水道水が供給されるが、水道水の水圧は高くはない。したがって、ピストンシリンダユニット２０は、腐食の問題がなく、メインテナンスの容易な強化プラスチックから形成することもできる。
【００１２】
給水装置３０は、給水管３１を備えている。そして、この給水管３１の一方は、開閉バルブ３２を介して水道管３３に接続され、他方は３方弁３４、逆止弁３５等が介装されて、ピストンシリンダユニット２０のピストンヘッド室に接続されている。開閉バルブ３２は、本実施の形態では地下室Ｇに配置されている。したがって、地下室Ｇに人が居ても、開閉バルブ３２を開いて水道水をピストンシリンダユニット２０へ供給して防水板２を上方へ駆動することができるので、侵入する水によって地下室Ｇに閉じこめられるようなことはない。また、逆止弁３５が介装されているので、水道水の供給が何らかの原因でストップしても防水板２が妄りに下がるようなこともない。
【００１３】
次に、作用について説明する。通常の状態では、逆止弁３５の逆止作用を解除し、また３方弁３４を図１の（イ）に示されている状態から排水できる状態へ切り替える。これにより、ピストンシリンダユニット２０の水圧シリンダ２１内の水は逆止弁３５および３方弁３４を通って排水溝Ｄに排水される。防水板２は、自重により、図１には示されていないが、支持部材あるいはストッパに当接するまで下がる。防水板２の天板４が路面Ｒと略同じ高さになる。この状態が図１の（ロ）に示されている。防水板２の天板４が床Ｆの一部となり、防水板２を意識することなく普通通りに地下室Ｇが利用できる。
【００１４】
水が地下室Ｇへ侵入あるいは浸水するときは、３方弁３４を図１の（イ）に示されている位置へ切り替え、そして開閉弁３２を開く。そうすると、水道水が給水管３１からピストンシリンダユニット２０の水圧シリンダ２１に供給される。ピストン２２が上方へ駆動され、したがって防水板２が上方へ駆動される。これにより、地下室Ｇへの水の侵入が防止される。水の侵入を防止している状態が、図１の（イ）に示されている。このとき、機械室ＭＲの入り口の上方にはゴム等のシール材７が設けられているので、機械室ＭＲへの侵入も阻止される。なお、図１には示されていないが、防水板２の上方への移動量を規制するストッパが、ピストンシリンダユニット２０あるいはガイド装置１０に取り付けられているので、水道水を供給し続けても、防水板２は所定位置で止まる。このとき、水道水の圧力は、比較的低いのでピストンシリンダユニット２０等が破壊されるようなことはない。もし必要ならば、給水管３１に減圧弁を介装することもできる。
【００１５】
次に、図２により、本発明の参考例を説明する。第１の実施の形態の構成要素と同じ要素には同じ参照文字を付けて、あるいは同じ参照文字にダッシュを付けて重複説明はしないが、参考例によると、地下に埋蔵物があり深い機械室ＭＲが確保できないときに実施されるもので、第１の実施の形態の防水板２がスライドするのに対して、参考例に係わる防水板５０は、スイング的に駆動されるスイングプレートから構成されている。さらに詳しく説明すると、地下室Ｇの入り口の近傍に比較的浅い機械室ＭＲ’が掘られ、この機械室ＭＲ’の上方部分に、防水板５０が通常は床面の一部を構成するように水平状態で配置されている。そのために防水板５０は、その基端部は、枢軸点５１で揺動自在に軸受けされ、その先端部は路面Ｒに形成されている受金具５２で支持されている。この状態が図２の（イ）に示されている。また、ピストンシリンダユニット２０の一方の端部は、機械室ＭＲ’の床に、そして他端部は防水板５０の下面の略中央部に枢着されている。
【００１６】
地下室Ｇを形成している側壁は、打設されたコンクリートに化粧板が張られていることが多いが、図２の（イ）、（ロ）にはこのような化粧板６０が張られている。したがって、この場合は防水板５０の両側端部にはゴム等のシール材５３が設けられ、防水板５０がピストンシリンダユニット２０によりスイング的に駆動されるときには、防水板５０の両側端部は、シール材５３を介し化粧板６０に接触して駆動されることになる。コンクリートが剥き出し状態になっているときは、図２の（ハ）に示されているように、側壁にシール用の側板６０’を新たに設けることになる。なお、防水板５０の枢軸点５１近傍には、シール材５４が設けられている。このシール材５４は、防水板５０が揺動的に駆動されるときも略円弧状のシール受５５に接し、水の侵入を防止するようになっている。
【００１７】
参考例の防水板５０も、ピストンシリンダユニット２０に水道水を上記したようにして供給すると、枢軸点５１を中心としてスイングし、水の地下室Ｇへの侵入を防止することは明らかである。水の侵入を防止している状態が図２の（ロ）に示されている。参考例によると、防水板５０はスイング的に駆動されるので、機械室ＭＲ’が浅く、工事費が安くなる。また、防水板５０の上に品物Ｍが乗っていても、緊急時には取り除くことなく、その状態で駆動することもできる。さらには、参考例によると、ピストンシリンダユニット２０が外側に設けられているので、ピストンシリンダユニット２０が破損しても漏れる水道水は地下室Ｇに入ってこない利点がある。しかしながら、枢軸点５１を外側に、そしてピストンシリンダユニット２０を地下室Ｇ側に配置できることは明らかである。
【００１８】
本発明及び参考例は、上記実施の形態に限定されることなく色々な形で実施できる。例えば、ビルに給水タンクが設置されているときは、この給水タンクに給水管３１を接続しておくと、水道がストップしても、防水板２、５０を駆動することができる。また、雨水タンク、防災用のタンク等が備えられているときは、これらのタンクに接続することもできる。さらには、水道管、給水タンク、雨水タンク等に並列的に接続しておくと、非常時にはいずれかにより防水板２、５０を駆動することができる利点もある。また、地下に構造物があり、防水板２を所定深さにまで退避できないときは、防水板２を斜めに退避させるように実施することもできる。このときは、ガイド装置１０も斜めに設置することになる。
【００１９】
上記第１の実施の形態及び参考例では、防水板２、５０は地下から上方へ駆動されるようになっているが、これとは逆に上方から下方へ駆動するように実施することもできる。例えば、防水板２を地下室Ｇの上方の建物Ｂの壁内に設けておき、壁内から下方の入り口の方へ駆動するように実施することもできる。また、防水板５０を地下室Ｇの天井Ｕに揺動自在に設け、下方へスイング的に駆動するようにすることもできる。このように上方から駆動するように実施するときは、地下室Ｇの入り口全体が封鎖され、地下室Ｇに人が取り残される危険もあるので、防水板２、５０と天井Ｕとの間等に所定の隙間ができるように実施するのが望ましい。また、第１の実施の形態及び参考例に、逆止め機構例えば手動的に開放できるラチエット機構を設け、駆動される防水板２、５０が、その都度その位置に保持されるように実施することもできる。
【００２０】
上記実施の形態では、開閉バルブ３２を手動的に操作して、ピストンシリンダユニット２０の水圧シリンダ２１に水道水を供給するようになっているが、侵入する水を検知して自動的に防水板２を駆動するように実施することもできる。この実施の形態が図３に示されている。すなわち、自動給水装置４０は、図３の（イ）に示されているように、切換弁４１と、侵入水を受ける水受皿４２と、切換弁４１と水受皿４２と結んでいるリンク機構４３とからなっている。そして、リンク機構４３の末端が切換弁４１の弁体４１’と機械的に接続されている。切換弁４１には、本実施の形態では３個のポートがあり、これらのポートに水道管３３に連なっている給水管４４と、ピストンシリンダユニット２０の水圧シリンダ２１に連なっている第２の給水管４５と、排水溝Ｄに連なっている排水管４６とがそれぞれ接続されている。このように構成されている自動給水装置４０は、図１の（ロ）に示されているように、路面Ｒからやや下がった位置の床Ｆ下に設けられている。なお、図３中の他の符号４７はゴミよけ蓋を、４８は侵入水の通過孔を、そして４９は、侵入水を水受皿４２に導く樋をそれぞれ示している。
【００２１】
給水管４４に水道管３３をつなぎ、常時切換弁４１に通水しておく。切換弁４１の弁体４１’は、バネ付勢により、通常は図３の（ロ）に示されている位置に切り替わっており、第２の給水管４５と排水管４６は連通している。したがって、ピストンシリンダユニット２０の水圧シリンダ２１内の水は、排水溝Ｄに排水され、防水板２は自重により下がり、図１の（ロ）あるいは図２の（イ）に示されている位置にある。今、水が地下室Ｇへ侵入すると、その一部がゴミよけ蓋４７の通過孔４８を通り樋４９から水受皿４２に供給される。水受皿４２に所定量の侵入水が貯まると、水受皿４２は重量により下がる。そうすると、リンク機構４３を介して切換弁４１の弁体４１’が回転する。これにより、給水管４４と第２の給水管４５とが連通し、水道水がピストンシリンダユニット２０の水圧シリンダ２１に供給され、前述したようにして防水板２が駆動される。なお、給水管４４を水道管以外の給水タンク、雨水タンク等に接続できることは明らかである。また、侵入水を電気的に検知して、この検知信号により切換弁４１を切り替えるように実施できることも明らかである。
【００２３】
【発明の効果】
以上のように、本発明によると、海水、河川水、雨水等の水が地下室へ侵入するのを堰き止める防水板、あるいは護岸、堤防等を越えて溢水するのを防止する防水板を駆動する駆動装置が、水圧で作動するピストンシリンダユニットからなっているので、水道水等をピストンシリンダユニットに供給するだけで、防水板を所定位置へ駆動することができ、したがって災害時には確実に防水できるという本発明に特有の効果が得られる。また、駆動装置がピストンシリンダユニットからなっているので、構造が極めて簡単で安価に提供できる効果も得られる。駆動装置が水圧で作動するピストンシリンダユニットからなっているので、水道水の他に、雨水タンク、防災タンク等のタンク中の水も利用できる効果がさらに得られる。また、他の発明によると、防水板が地下室へ侵入するのを堰き止める防水板であり、該防水板は地下室の入り口近傍の、路面より下方に配置されていると共に、ピストンシリンダユニットに所定圧力の水を給排するバルブ装置も地下室内に設けられているので、上記効果に加えて、地下室に人が居ても、開閉バルブを開いて流体をピストンシリンダユニットへ供給して防水板を所定位置へ駆動することができるので、侵入する水によって地下室に閉じ込められるようなこともない。
【図面の簡単な説明】
【図１】本発明の第１の実施の形態を示す図で、その（イ）は地下室への水の侵入を阻止している状態を模式的に示す断面図、その（ロ）は通常の状態で一部を示す斜視図である。
【図２】本発明の参考例を示す図で、その（イ）は通常の状態を模式的に示す断面図、その（ロ）は地下室への水の侵入を阻止している状態で示す斜視図である。
【図３】本発明の実施の形態に係わる自動給水装置の実施の形態を示す図で、その（イ）は全体を模式的に示す断面図、その（ロ）、（ハ）は切換弁の、それぞれ異なる切り替え状態を示す断面図である。
【符号の説明】
１ 可動板 １０ ガイド装置
２０ ピストンシリンダユニット ４０ 自動給水装置
５０ 可動板
【図１】
0004550233.tif 000002
【図２】
0004550233.tif 000003
【図３】
0004550233.tif 000004